(57)【要約】【課題】  緊急退避支援を行うにあたり、ドライバの安全性を高めるための調整時間を十分に確保し、緊急退避支援を行う際のドライバの安全性を高めることができる緊急退避支援装置を提供する。【解決手段】  ドライバが危険状態となったときに車両における緊急退避支援を行うにあたり、ステアリングのチルト角およびシートポジションを調整して、エアバッグの正常を確実に発揮できる位置に調整する。このとき、ドライバの同意が得られたことや衝突可能性が超えたことを条件として、これらの調整を開始する。【選択図】  図１
2014026332.tif 000002
【特許請求の範囲】
【請求項１】
車両のドライバの運転操作によらず前記車両を安全な位置に停止させる緊急退避支援装置であって、
前記車両のドライバに対して前記緊急退避支援の開始の意思を確認する意思確認手段と、
前記車両に搭載された座席シートおよびステアリングの位置のうちの少なくとも一方の位置を調整する位置調整手段と、を備え、
前記位置調整手段は、前記意思確認手段によって、ドライバの意思が確認された場合に、前記座席シートおよび前記ステアリングのうちの少なくとも一方の位置を、あらかじめ設定された位置に調整することを特徴とする緊急退避支援装置。
【請求項２】
前記あらかじめ設定された位置は、前記車両と前記車両の周囲の障害物との衝突時におけるドライバの安全性を高めるように設定された位置である請求項１に記載の緊急退避支援装置。
【請求項３】
前記車両における前記車両の周囲の障害物との衝突可能性を判断する衝突可能性判定手段をさらに備え、
前記位置調整手段は、前記意思確認手段によって、ドライバの意思が確認され、かつ前記衝突可能性判定手段によって判定された衝突可能性が所定のしきい値を超えたときに、前記座席シートおよび前記ステアリングのうちの少なくとも一方の位置を、あらかじめ設定された位置に調整する請求項１または請求項２に記載の緊急退避支援装置。
【請求項４】
ドライバの危険状態を判定するドライバ危険状態判定手段をさらに備え、
前記位置調整手段は、前記ドライバ危険状態判定手段によって、前記ドライバが危険状態であると判定された場合に、前記位置の調整を中止する請求項１〜請求項３のうちのいずれか１項に記載の緊急退避支援装置。
【請求項５】
ドライバの危険状態を判定するドライバ危険状態判定手段をさらに備え、
前記位置調整手段は、前記衝突可能性判定手段によって判定された衝突可能性が所定のしきい値以下であると判定されるとともに、前記ドライバ危険状態判定手段によって、前記ドライバが危険状態であると判定された場合に、前記位置の調整を中止する請求項３に記載の緊急退避支援装置。
【請求項６】
ドライバの危険状態を判定するドライバ危険状態判定手段をさらに備え、
前記位置調整手段は、前記ドライバ危険状態判定手段によって、前記ドライバが危険状態であると判定された場合に、前記座席シートおよび前記ステアリングのうちの少なくとも一方の位置を、前記ドライバの体勢的負担が軽減される負担軽減位置に調整する請求項４または請求項５に記載の緊急退避支援装置。
【請求項７】
ドライバの危険状態を判定するドライバ危険状態判定手段をさらに備え、
前記位置調整手段は、前記衝突可能性判定手段によって判定された衝突可能性が所定のしきい値以下であると判定されるとともに、前記ドライバ危険状態判定手段によって、前記ドライバが危険状態であると判定された場合に、前記座席シートおよび前記ステアリングのうちの少なくとも一方の位置を、前記ドライバの体勢的負担が軽減される負担軽減位置に調整する請求項３に記載の緊急退避支援装置。
【請求項８】
前記位置調整手段は、前記座席シートおよび前記ステアリングのうちの少なくとも一方の位置の調整を開始した後、前記座席シートの位置調整およびステアリングの位置調整のドライバによる調整操作を無効化する請求項１〜請求項７のうちのいずれか１項に記載の緊急退避支援装置。
【請求項９】
前記位置調整手段は、前記座席シートおよび前記ステアリングのうちの少なくとも一方の位置の調整を開始した後、前記車両のドアの開放操作、シートベルトの解除操作、およびウィンドウの開放操作の各操作のうち、少なくとも１つの操作を無効化する請求項１〜請求項８のうちのいずれか１項に記載の緊急退避支援装置。
【発明の詳細な説明】
【技術分野】
【０００１】
本発明は、緊急退避支援装置に関する。
【背景技術】
【０００２】
車両の運転支援を行う運転支援装置として、従来、運転者の意識が低下した際に、運転者の車両操作とは無関係に走行中の車両を停止させる停止制御を行う車両停止装置がある（たとえば、特許文献１参照）。この車両停止装置は、車両の走行する道路の前方周辺状況を検出し、その検出結果に基づいて車両の停止場所を決定し、決定した停止場所に車両を停止させるというものである。
【０００３】
この車両停止装置では、車両を停止させる際に停止場所決定手段が車両の周辺状況に応じた停止場所を決定して、その決定した停止場所に車両を停止させている。このため、車両を他の車両の通行の妨げとならない安全な場所に停止させることができるというものである。
【先行技術文献】
【特許文献】
【０００４】
【特許文献１】特開２００７−３３１６５２号公報
【発明の概要】
【発明が解決しようとする課題】
【０００５】
その一方、車両を緊急退避させる過程で車両が他車両などの障害物と衝突するという予測をした場合、ステアリング位置が調整されて、ステアリングに設けられたエアバッグを適切な角度で展開させる技術がある。この技術を用いることにより、車両を緊急停止させるにあたり、他車両などが衝突しそうになった場合でも、エアバッグを適切に展開させることにより、ドライバを保護することができる。
【０００６】
しかし、他車両等との衝突が予測された場合、その予測から衝突までの時間が短いような場合に、その状況に合わせてステアリングの位置の調整をより速い速度で行うと、ステアリングが動いてステアリング位置が急に変化することによってドライバに違和感を与える可能性があった。また、エアバッグを展開させる際には、エアバッグが装着されたステアリングの角度を調整することが考えられる。その一方で、ステアリングの角度以外でも、たとえばドライバが着座する着座シートのシート位置を調整して、エアバッグの効果を高いものとすることも考えられる。
【０００７】
そこで、本発明の課題は、緊急退避支援を行うにあたり、ドライバの安全性を高めるための調整時間を十分に確保し、ステアリングや座席シートの位置が急に変化することによってドライバに与える違和感を小さくしながら、ドライバの安全性を高めることができる緊急退避支援装置を提供することにある。
【課題を解決するための手段】
【０００８】
上記課題を解決した本発明に係る緊急退避支援装置は、車両のドライバの運転操作によらず車両を安全な位置に停止させる緊急退避支援装置であって、車両のドライバに対して緊急退避支援の開始の意思を確認する意思確認手段と、車両に搭載された座席シートおよびステアリングの位置のうちの少なくとも一方の位置を調整する位置調整手段と、を備え、位置調整手段は、意思確認手段によって、ドライバの意思が確認された場合に、座席シートおよびステアリングのうちの少なくとも一方の位置を、あらかじめ設定された位置に調整することを特徴とする。なお、本発明のステアリングの位置とは、車室内におけるステアリングの相対的な位置を意味し、ステアリングの位置を調整する際には、チルト角（上下左右位置）やテレスコピックの突出量（前後位置）を調整することができる。
【０００９】
本発明に係る緊急退避支援装置においては、意思確認手段によって、ドライバの意思が確認された場合に、座席シートおよびステアリングのうちの少なくとも一方の位置を、あらかじめ設定された位置に調整する。このため、たとえば他車両と衝突する可能性が高い場合に、他車両との衝突可能性が高いと判断する前にステアリングや座席シートの位置を調整するにあたり、ドライバの意思が確認されたことが条件となる。したがって、緊急退避支援が行われることをドライバが認識した上で、ステアリング位置や座席シートの調整が行われるので、緊急退避支援を行うにあたり、ドライバの安全性を高めるための調整時間を十分に確保し、ステアリングや座席シートの位置が急に変化することによってドライバに与える違和感を小さくしながら、ドライバの安全性を高めることができる。
【００１０】
ここで、あらかじめ設定された位置は、車両と車両の周囲の障害物との衝突時におけるドライバの安全性を高めるように設定された位置であるようにすることができる。
【００１１】
このように、あらかじめ設定された位置は、車両と車両の周囲の障害物との衝突時におけるドライバの安全性を高めるように設定された位置であることにより、車両が障害物と衝突する場合などに、ドライバの安全性を高めることができる。
【００１２】
また、車両における車両の周囲の障害物との衝突可能性を判断する衝突可能性判定手段をさらに備え、位置調整手段は、意思確認手段によって、ドライバの意思が確認され、かつ衝突可能性判定手段によって判定された衝突可能性が所定のしきい値を超えたときに、座席シートおよびステアリングのうちの少なくとも一方の位置を、あらかじめ設定された位置に調整することができる。
【００１３】
このように、意思確認手段によって、ドライバの意思が確認され、かつ衝突可能性判定手段によって判定された衝突可能性が所定のしきい値を超えたときに、座席シートおよびステアリングのうちの少なくとも一方の位置を、あらかじめ設定された位置に調整することにより、衝突可能性に応じて早期にステアリングや座席シートの位置調整を開始することができる。
【００１４】
さらに、ドライバの危険状態を判定するドライバ危険状態判定手段をさらに備え、位置調整手段は、ドライバ危険状態判定手段によって、ドライバが危険状態であると判定された場合に、位置の調整を中止することができる。
【００１５】
ドライバが体調不良などの危険状態にある場合、ステアリングや座席シートの位置調整を行うと、位置調整による位置の変更でドライバの危険状態に悪影響を与えるおそれがある。このため、ドライバが危険状態であると判定された場合に、位置の調整を中止することにより、ドライバに悪影響を与えないようにすることができる。
【００１６】
また、ドライバの危険状態を判定するドライバ危険状態判定手段をさらに備え、位置調整手段は、衝突可能性判定手段によって判定された衝突可能性が所定のしきい値以下であると判定されるとともに、ドライバ危険状態判定手段によって、ドライバが危険状態であると判定された場合に、位置の調整を中止することができる。
【００１７】
このように、衝突可能性が所定のしきい値以下であり、かつドライバが危険状態のとき位置調整を中止することにより、衝突可能性が高く、位置調整をドライバの体調よりも優先させる場合に、位置調整を行うことができる。
【００１８】
さらに、ドライバの危険状態を判定するドライバ危険状態判定手段をさらに備え、位置調整手段は、ドライバ危険状態判定手段によって、ドライバが危険状態であると判定された場合に、座席シートおよびステアリングのうちの少なくとも一方の位置を、ドライバの体勢的負担が軽減される負担軽減位置に調整することができる。
【００１９】
このように、ドライバが危険状態にあると判定された場合には、ドライバの体勢的負担が軽減される負担軽減位置の座席シートやステアリングを調整することにより、ドライバに掛かる負担を小さくすることができる。ここで、負担軽減位置としては、たとえば座席シートのリクライニングを少し倒し、リクライニングを倒すことに伴い、ステアリングが持ちにくくならないようにステアリングをドライバ側に移動させる位置とすることができる。
【００２０】
また、ドライバの危険状態を判定するドライバ危険状態判定手段をさらに備え、位置調整手段は、衝突可能性判定手段によって判定された衝突可能性が所定のしきい値以下であると判定されるとともに、ドライバ危険状態判定手段によって、ドライバが危険状態であると判定された場合に、座席シートおよびステアリングのうちの少なくとも一方の位置を、ドライバの体勢的負担が軽減される負担軽減位置に調整することができる。
【００２１】
このように、衝突可能性が所定のしきい値以下であり、かつドライバが危険状態のとき位置調整を中止することにより、衝突可能性が高く、位置調整をドライバの体調よりも優先させる場合に、位置調整を行うことができる。また、ドライバが危険状態にあると判定された場合には、ドライバの体勢的負担が軽減される負担軽減位置の座席シートやステアリングを調整することにより、ドライバに掛かる負担を小さくすることができる。
【００２２】
さらに、座席シートおよびステアリングのうちの少なくとも一方の位置の調整を開始した後、座席シートの位置調整およびステアリングの位置調整のドライバによる調整操作を無効化することができる。
【００２３】
このように、座席シートおよびステアリングのうちの少なくとも一方の位置の調整を開始した後、座席シートの位置調整およびステアリングの位置調整の調整操作を無効化することにより、ドライバが不適切な方向に調整した際の調整操作を無効化することができる。したがって、エアバッグの性能を確実に発揮できる位置にステアリングや座席シートを調整することができる。
【００２４】
そして、位置調整手段は、座席シートおよびステアリングのうちの少なくとも一方の位置の調整を開始した後、車両のドアの開放操作、シートベルトの解除操作、およびウィンドウの開放操作の各操作のうち、少なくとも１つの操作を無効化することができる。
【００２５】
このように、車両のドアの開放操作、シートベルトの解除操作、およびウィンドウの開放操作の各操作のうち、少なくとも１つの操作を無効化することにより、ドライバが不意の車外に出てしまうことを防止できる。
【発明の効果】
【００２６】
本発明に係る緊急退避制御装置によれば、緊急退避支援を行うにあたり、ドライバの安全性を高めるための調整時間を十分に確保し、ステアリングや座席シートの位置が急に変化することによってドライバに与える違和感を小さくしながら、ドライバの安全性を高めることができる。
【図面の簡単な説明】
【００２７】
【図１】本発明の第１の実施形態に係る緊急退避支援装置の構成図である。
【図２】ドライバの意識低下状態と緊急退避支援装置の作動概要を示すタイムチャートである。
【図３】第１の実施形態に係る緊急退避制御装置の動作手順を示すフローチャートである。
【図４】ドアロック等の処理の手順を示すフローチャートである。
【図５】チルト角およびシートポジションの目標範囲決定処理の手順を示すフローチャートである。
【図６】第２の実施形態に係るチルト角およびシートポジションの目標範囲決定処理の手順を示すフローチャートである。
【図７】第３の実施形態に係る緊急退避支援装置の処理の手順を示すフローチャートである。
【図８】チルト角およびシートポジションの調整を実施するか否かの判定の手順を示すフローチャートである。
【図９】交差点における歩行者等との衝突危険度を算出する手順を示すフローチャートである。
【図１０】交差点における自車両と歩行者との関係を示す模式図である。
【図１１】判定処理マップを示す図である。
【発明を実施するための形態】
【００２８】
以下、添付図面を参照して本発明の実施形態について説明する。なお、図面の説明において同一の要素には同一の符号を付し、重複する説明を省略する。また、図示の便宜上、図面の寸法比率は説明のものと必ずしも一致しない。
【００２９】
〔第１の実施形態〕
図１は、本発明の実施形態に係る緊急退避支援装置の機能構成を示すブロック図である。本実施形態のほか、以下の各実施形態では、本実施形態と同様の緊急退避支援装置Ｍによる制御が行われる。緊急退避支援装置Ｍは、自車両のドライバの意識低下を検出するとともに、意識低下を検出した場合に、他の車両の妨げにならないようにドライバの運転操作によらず同自車両を自動走行させて安全な位置に停止させる緊急退避制御を行う。なお、安全な位置とは、走行路中における他の車両の衝突等のおそれがない場所を示し、例えば車道脇の停車帯が挙げられる。
【００３０】
車両に搭載されており、図１に示すように、環境情報検出部１、車両情報検出部２、ドライバ状態認識装置３、および判定処理ＥＣＵ（Electronic  Control  Unit）４を備えている。また、緊急退避支援装置Ｍは、運転支援ＨＭＩ（Human Machine Interface）５、各種運転支援システム６、各種走行制御装置７、およびアクチュエータ類８を備えている。
【００３１】
緊急退避支援装置Ｍにおける環境情報検出部１は、ＧＰＳ（Global  Positioning  System）１１、車載通信機１２、および前方センサ・後側方センサ１３を備えている。さらに、環境情報検出部１は、ナビゲーションシステム１４、および白線認識カメラ１５を備えている。
【００３２】
ＧＰＳ１１は、複数のＧＰＳ衛星からの信号をＧＰＳ受信機で受信し、各受信信号の相違から自車両の位置を測位する。また、ＧＰＳ１１は、測位した自車両の位置に関する自車両位置情報を判定処理ＥＣＵ４に送信する。車載通信機１２は、他車両との車車間通信や、光ビーコン等の路側インフラストラクチャとの路車間通信を行う通信機である。車載通信機１２は、他車両や路側インフラストラクチャとの間の通信で得られた通信情報を判定処理ＥＣＵ４に送信する。
【００３３】
前方センサ・後側方センサ１３は、車両の周辺における歩行者、自転車、二輪車、車両などの移動体の位置や速度および走行路の路側などに設けられる店舗等の施設の位置を検出している。前方センサ・後側方センサ１３は、たとえばミリ波レーダ、超音波ソナーによって構成されており、検出した移動体の位置や速度および施設の位置に関する周辺情報を判定処理ＥＣＵ４に送信する。
【００３４】
ナビゲーションシステム１４は、ＧＰＳ１１により取得された自車両の位置情報と、所定の記憶部に記憶された地図情報とを用いて、車両の経路案内を行う手段である。ナビゲーションシステム１４は、経路案内に関するナビゲーション情報を判定処理ＥＣＵ４に送信する。
【００３５】
白線認識カメラ１５は、自車両に搭載された撮像手段によって撮像した自車両の周囲の画像から、自車両が走行する車線の白線を認識する。白線認識カメラ１５は、認識した白線に関する白線情報を判定処理ＥＣＵ４に送信する。なお、環境情報検出部１から判定処理ＥＣＵ４に送信される自車両位置情報、通信情報、周辺情報、ナビゲーション情報、および白線情報を総称して環境情報ということがある。
【００３６】
車両情報検出部２は、自車両の走行状態を検出する各種センサとして、舵角センサ２１、車速センサ２２、および加速度センサ２３を備えている。また車両情報検出部２は、チルト角センサ２４およびシートポジションセンサ２５を備えている。舵角センサ２１は、自車両のステアリング角を検出している。舵角センサ２１は、検出した自車両のステアリング角に関するステアリング角情報を判定処理ＥＣＵ４に送信する。
【００３７】
また、車速センサ２２は、車軸の回転速度を検出することによって、自車両の車速を検出している。車速センサ２２は、検出した自車両の車速に関する車速情報を判定処理ＥＣＵ４に送信する。さらに、加速度センサ２３は、自車両の加速度を検出しており、検出した加速度に関する加速度情報を判定処理ＥＣＵ４に送信する。
【００３８】
さらに、チルト角センサ２４は、ステアリングのチルト角を検出している。チルト角センサ２４は、検出したチルト角に関するチルト角情報を判定処理ＥＣＵ４に送信する。シートポジションセンサ２５は、ドライバが着座する座席シートである着座シートの前後位置および背もたれの角度を検出している。シートポジションセンサ２５は、検出した着座シートの前後位置および背もたれの角度に関するシートポジション情報を判定処理ＥＣＵ４に送信する。なお、ステアリング角情報、車速情報、加速度情報、チルト角情報、およびシートポジション情報を総称して車両情報ということがある。
【００３９】
ドライバ状態認識装置３は、自車両のドライバの状態を認識する装置であり、たとえば自車両のドライバが居眠りや発作等による意識低下状態であるか否かを認識している。生理計測装置３１、視線・顔向き計測装置３２、システム起動／解除スイッチ３３、着座センサ３４、およびドライバ状態認識部３５を備えている。
【００４０】
生理計測装置３１は、自車両のドライバの心拍数、脈拍数、呼吸リズム等を計測しており、これらの計測結果に基づいてドライバの生理状態を検出している。生理計測装置３１は、検出したドライバの生理状態に関するドライバ生理状態情報をドライバ状態認識部３５に出力する。
【００４１】
視線・顔向き計測装置３２は、ドライバの頭部をカメラで撮像し、撮像した画像から、眼球、顔の動き等を検出し、その検出結果に基づいてドライバの視線および顔向きを検出している。視線・顔向き計測装置３２は、検出したドライバの視線および顔向きに関するドライバ視線情報をドライバ状態認識部３５に出力する。
【００４２】
システム起動／解除スイッチ３３は、ドライバの手が届く位置に設けられたスイッチであり、緊急退避支援装置Ｍによる緊急退避制御を開始するためのスイッチである。システム起動／解除スイッチ３３は、解除状態のときに、主にドライバの操作によって押下されて起動状態となり、起動状態のときに、主にドライバの操作によって押下されて解除状態となる。システム起動／解除スイッチ３３がＯＮ状態となると、システム起動／解除スイッチ３３は緊急制御処理の開始を示す緊急退避開始信号を判定処理ＥＣＵ４に出力する。
【００４３】
着座センサ３４は、ドライバが着座するシートに設けられており、ドライバがシートに着座しているか否かといった情報や、着座している場合の着座位置などのドライバの着座状態を検出している。着座センサ３４は、検出したドライバの着座状態情報をドライバ状態認識部３５に出力する。
【００４４】
ドライバ状態認識部３５は、生理計測装置３１から出力された生理状態情報、視線・顔向き計測装置３２から出力されたドライバ視線情報、および着座センサ３４から出力された着座状態情報に基づいて、ドライバ状態を認識する。ここでのドライバ状態は、ドライバが正常に運転操作を行うことができるか否かの状態を含む。たとえば、生理状態における心拍数や脈拍数が所定のしきい値以上となったり、ドライバ視線情報から得られるドライバの視線移動の回数が所定のしきい値以上となったりした場合に、ドライバが意識低下状態となったと認識する。ドライバ状態認識部３５は、認識したドライバ状態に関するドライバ状態情報を判定処理ＥＣＵ４に送信する。
【００４５】
判定処理ＥＣＵ４は、緊急退避支援装置Ｍを統括して制御し、緊急退避支援を実行する。判定処理ＥＣＵ４は、ドライバ状態認識部３５から送信されたドライバ状態情報に基づいて、ドライバ状態が意識低下状態であるか否かを判断する。その結果、ドライバ状態が意識低下状態であると判断した場合には、自車両の緊急退避制御を行う。判定処理ＥＣＵ４は、緊急退避制御を行うにあたり、緊急退避を行う態様に関する緊急退避制御情報を運転支援ＨＭＩ５および各種運転支援システム６に送信する。
【００４６】
また、判定処理ＥＣＵ４は、環境情報検出部１から送信された環境情報および車両情報検出部２から送信された車両情報に基づいて、車両が他車両や歩行者などの障害物と衝突する可能性を判定する。判定処理ＥＣＵ４は、本発明の衝突可能性判定手段を構成する。ドライバ状態認識部３５から送信されたドライバ状態に基づいて、ドライバの危険状態を検出する。判定処理ＥＣＵ４は、本発明のドライバ危険状態判定手段を構成する。
【００４７】
運転支援ＨＭＩ５は、ディスプレイ５１、スピーカ５２、ランプ類５３、およびシート・ステアリング位置入力スイッチ５４を備えている。運転支援ＨＭＩ５は、判定処理ＥＣＵ４から送信された緊急退避制御情報に基づいて、ディスプレイ５１、スピーカ５２、およびランプ類５３の各インターフェイスを作動させる。
【００４８】
ディスプレイ５１は、たとえば自車両における車室内に設けられており、緊急退避制御情報の内容に応じた各種情報を表示する。スピーカ５２は、たとえば自車両における車室内に設けられており、緊急退避制御情報の内容に応じた各種情報を音声で出力する。ランプ類５３としては、左右ウィンカやハザードランプ等が備えられており、緊急退避制御情報に応じて点灯・点滅状態が制御される。
【００４９】
シート・ステアリング位置入力スイッチ５４は、ステアリングのチルト角およびシートポジションをドライバの嗜好に応じた位置に調整するスイッチである。ドライバは、シート・ステアリング位置入力スイッチ５４を操作することにより、シートポジションおよびステアリングのチルト角を好みの位置に調整することができる。
【００５０】
また、自車両には、各種運転支援システム６として、ＡＣＣ（Adaptive CruiseControl）６１、ＰＣＳ（Pre-Crash Safety system）６２、ＬＫＡ（Lane Keeping Assist）６３、およびＶＳＣ（VehicleStability Control）６４が設けられている。各種運転支援システム６は、判定処理ＥＣＵ４から送信された緊急退避制御情報に基づいて、自車両の走行を終了させて極力安全に自車両を停止させるとともに、ドライバの救助を極力容易に行うことができるように自車両の制御態様を決定する。各種運転支援システム６は、自車両の制御態様が決定したら、決定した制御態様に応じた自車両制御情報を各種走行制御装置７に送信する。
【００５１】
自車両には、各種走行制御装置７として、ブレーキ制御部７１、アクセル制御部７２、ステアリング制御部７３、およびパーキングブレーキ制御部７４が設けられており、各種運転支援システム６から送信される自車両制御情報に基づいて、自車両の走行制御を行う。ここでの自車両の走行制御としては、インテリジェントパーキングシステム（ＩＰＡ：intelligent parking assist）による制御が行われる。あるいは、その他には、電子制御ブレーキシステム（ＥＣＢ：Electric Control Braking system）や電動パーキングブレーキ制御（ＥＰＢ：Electronic Parking Brake）による制御が行われる。
【００５２】
アクチュエータ類８としては、チルト角アクチュエータ８１、シートポジションアクチュエータ８２、シートベルトアクチュエータ８３、およびドアアクチュエータ８４が設けられている。このうち、チルト角アクチュエータ８１は、車両のステアリング部分に設けられており、ステアリングのチルト角を調整する機能を有している。判定処理ＥＣＵ４から位置調整信号が送信された場合に、ステアリングのチルト角を大きくして、障害物との衝突時におけるドライバの安全性を高めるようにあらかじめ設定された位置に調整する機能を有している。チルト角アクチュエータ８１は、本発明の位置調整手段を構成する。
【００５３】
シートポジションアクチュエータ８２は、ドライバが着座する着座シートに設けられており、着座シートにおける座面の前後位置および背もたれの角度を調整する機能を有している。シートポジションアクチュエータ８２は、判定処理ＥＣＵ４から位置調整信号が送信された場合に、シート座面を後退させ、背もたれの角度を大きくして、障害物との衝突時におけるドライバの安全性を高めるようにあらかじめ設定された位置に調整する。シートポジションアクチュエータ８２は、本発明の位置調整手段を構成する。
【００５４】
シートベルトアクチュエータ８３は、シートベルトのタングを保持するバックルに設けられている。バックルには、タングをバックルに固定する固定構造が設けられている。シートベルトアクチュエータ８３は、バックルによるタングの固定状態を維持し、または解除する機能を有している。
【００５５】
ドアアクチュエータ８４は、車両における運転席の側方に設けられたドアにおけるドアロックを施錠し、または解除させる機能を有している。また、ドアアクチュエータ８４は、運転席の側方に設けられたドアにおけるウィンドウを開放し、または閉鎖する機能を有している。
【００５６】
本実施形態に係る緊急退避支援装置Ｍでは、自車両を運転するドライバの意識低下が生じた場合に、自車両を緊急停止させる支援を行う。たとえば、図２に示すように、ドライバの意識が徐々に低下している場合、ドライバの意識が所定のしきい値を下回った場合に、緊急退避支援を行う。この場合、ドライバの意識が所定のしきい値を下回ることが車両における緊急退避支援を開始するための開始条件の成立となる。
【００５７】
緊急退避支援を行う際には、最初に事前説明を行った後、ドライバに主権委譲の判断について、ドライバの同意確認を行う。この時点で、ドライバの運転操作について一部の制限がかけられる。たとえば、ドライバがアクセルペダルを踏んだ場合でも、自車両が所定の速度以上とならないように制御される。このドライバの同意確認がドライバの意思の確認となる。判定処理ＥＣＵ４は、車両のドライバに対して前記緊急退避支援の開始の意思を確認する意思確認手段を構成する。
【００５８】
主権委譲についての同意を確認できた場合には、ドライバの運転操作を全面的に受け付けず、自車両を停止させるための減速制御を行う。このとき、ドライバに対して、減速制御を行っている旨の状況説明を行う。一方、緊急退避支援が開始された以後は、適宜自車両の周囲に対して適宜報知、通報が行われる。さらには、ドライバの同意確認が行われた時点で、ドライバによるチルト角やシートポジションの調整操作を無効化し、車両が走行中の場合には、チルト角やシートポジションの調整を開始する。このためドライバが不適切な方向に調整した際の調整操作を無効化することができるので、エアバッグの性能を確実に発揮できる位置にチルト角やシートポジションを調整することができる。
【００５９】
その後、自車両が停止したときに停止状態を保持する停止保持を行う。停止保持が行われている間、ドライバに対して事後説明を行う。また、本実施形態では、停止保持が行われている間に、自車両の停止状態を判断し、自車両の停止状態が不適切状態である場合には、自車両の停止状態を修正する。
【００６０】
次に、本発明の実施形態に係る緊急退避制御装置の動作について説明する。図３は、本実施形態に係る緊急退避制御装置の動作手順を示すフローチャートである。本実施形態に係る緊急退避支援装置Ｍでは、ドライバが意識低下状態などの運転不適状態となったときに、ドライバが車外に放出されることを防止している。
【００６１】
図３に示すように、緊急退避支援装置Ｍでは、まず、ドライバが運転不適状態となっているか否かを判断する（Ｓ１）。ここでは、判定処理ＥＣＵ４は、ドライバ状態認識部３５から送信されるドライバ状態情報に基づいてドライバが意識低下状態であるか否かを判断し、意識低下状態であるときにドライバが運転不適状態であると判断する。また、ドライバがシステム起動／解除スイッチ３３をＯＮにした場合にドライバが運転不適状態であると判断することもできる。さらいには、車両情報検出部２から取得した車両情報に基づいてドライバの運転不適状態を判断することもできる。
【００６２】
その結果、ドライバが運転不適状態でないと判断した場合には、ドライバは正常な状態であるので、そのまま緊急退避支援を終了する。一方、ドライバが運転不適状態であると判断した場合には、主権委譲処理を行う（Ｓ２）。主権委譲処理を行うことにより、車両の運転の主権をドライバから緊急退避支援装置Ｍに委譲する。このとき、ドライバの同意確認が行われる。
【００６３】
主権委譲処理が済んだ後は、車両を緊急停止させる処理を行うが、この段階で、車両が走行中であるか否かを判断する（Ｓ３）。その結果、車両が走行中でない場合は、車両が停止していることとなるので、車両停止後の制御に移行する（Ｓ１２）。一方、車両が走行中である場合には、ドアロック等の処理を行う（Ｓ４）。
【００６４】
ドアロック等の処理は、図４に示すフローに沿って行われる。緊急退避支援装置Ｍでは、図４に示すように、シートベルトアクチュエータ８３を作動させ、シートベルトの解除を禁止とする（Ｓ１６）。こうして、ドライバのシートベルトによる拘束状態を維持する。シートベルト解除を禁止するために、シートベルトを解除する操作を無効化する。
【００６５】
続いて、ドアアクチュエータ８４により、ドアロックを施錠し（Ｓ１７）、続いてドアロックの解除操作を無効化し、ドアロックの解除を禁止とする（Ｓ１８）。ドアロックの施錠およびドアロックの解除の禁止を行うことにより、ドアの開放を禁止する。こうして、ドアが開放することによって、ドライバが車外に放出されることを防止する。
【００６６】
それから、車両のウィンドウが開放されている場合にはドアアクチュエータ８４を作動させてウィンドウを閉鎖し、ウィンドウが閉鎖されている場合にはそのままの状態とする。その後、ウィンドウの開放操作を無効化してウィンドウの開放を禁止する（Ｓ１９）。ウィンドウの開放操作を禁止することにより、開放したウィンドウを介してドライバが車外に放出される事態を防止する。こうして、ドアロック等の処理を終了する。なお、これらの無効化した各操作のうち、一部の操作を無効化するようにすることもできる。
【００６７】
図３に示すフローに戻り、ドアロック等の処理が済んだら、ステアリングのチルト角およびドライバが着座するシートのシートポジションの目標範囲を決定する処理を行う（Ｓ５）。チルト角およびシートポジションの目標範囲決定処理は、図５に示すフローに沿って行われる。図５は、チルト角およびシートポジションの目標範囲決定処理の手順を示すフローチャートである。
【００６８】
図５に示すように、チルト角およびシートポジションの目標範囲決定処理では、最初に環境情報検出部１において検出した環境情報および車両情報検出部２で検出した車両情報を取得する（Ｓ２１）。次に、環境情報検出部１において検出した環境情報および車両情報検出部２で検出した車両情報に基づいてチルト角およびシートポジションの目標範囲を決定する（Ｓ２２）。ここでの目標範囲としては、ドライバが安全な状態を維持することができる範囲のチルト角およびシートポジションとする。こうして、チルト角およびシートポジションの目標範囲決定処理が終了する。
【００６９】
図３に示すフローに戻り、チルト角センサ２４で検出したチルト角情報およびシートポジションセンサ２５で検出したシートポジション情報に基づいて、チルト角およびシートポジションの現在位置を取得する（Ｓ６）。続いて、チルト角およびシートポジションの現在位置が目標の範囲内にあるか否かを判断する（Ｓ７）。
【００７０】
その結果、チルト角およびシートポジションの現在位置が目標の範囲内にない場合には、チルト角アクチュエータ８１およびシートポジションアクチュエータ８２によって、それぞれチルト角およびシートポジションを目標範囲内の所定の目標値に調整する（Ｓ１１）。
【００７１】
一方、チルト角およびシートポジションの現在位置が目標の範囲内にある場合には、シート・ステアリング位置入力スイッチ５４により入力されたドライバ入力値を確認する（Ｓ８）。続いて、ドライバの入力値が目標の範囲内にあるか否かを判断する（Ｓ９）。その結果、ドライバの入力値が目標の範囲内にある場合には、チルト角アクチュエータ８１およびシートポジションアクチュエータ８２によって、それぞれチルト角およびシートポジションをドライバの入力値に調整する（Ｓ１０）。
【００７２】
一方、ドライバの入力値が目標の範囲内にない場合には、チルト角アクチュエータ８１およびシートポジションアクチュエータ８２によって、それぞれチルト角およびシートポジションを目標範囲内の所定の目標値に調整する（Ｓ１１）。こうして、緊急退避支援装置Ｍによる処理を終了する。
【００７３】
このように、本実施形態に係る緊急退避支援装置Ｍにおいては、ドライバの意識低下によって緊急退避支援を開始するにあたり、ドライバの同意確認が得られたときにチルト角およびシートポジションの調整を開始する。このため、たとえば他車両と衝突する可能性が高い場合に、他車両との衝突可能性が高いと判断する前にステアリングや座席シートの位置を調整することができる。したがって、緊急退避支援を行うにあたり、ドライバの安全性を高めるための調整時間を十分に確保し、ステアリングや座席シートの位置が急に変化することによってドライバに与える違和感を小さくしながら、ドライバの安全性を高めることができる。
【００７４】
また、ドライバの同意確認を行った後にチルト角やシートポジションの調整が行われる。したがって、緊急退避支援が行われることをドライバが認識した上で、ステアリング位置や座席シートの調整が行われるので、ドライバに違和感を与えないようにすることができる。
【００７５】
〔第２の実施形態〕
次に、本発明の第２の実施形態について説明する。本実施形態は、上記第１の実施形態と比較して、チルト角およびシートポジションの目標範囲決定処理が主に異なっている。以下、上記第２の実施形態との相違点を中心として、本発明について説明する。図６は、本実施形態に係るチルト角およびシートポジションの目標範囲決定処理の手順を示すフローチャートである。
【００７６】
図６に示すように、本実施形態では、上記第１の実施形態と同様、最初に環境情報検出部１において検出した環境情報および車両情報検出部２で検出した車両情報を取得する（Ｓ３１）。次に、車両を運転するドライバのドライバ状態情報を取得し（Ｓ３２）、取得したドライバ状態に基づいてドライバの危険状態を推定する（Ｓ３３）。ここでのドライバの危険状態とは、たとえばドライバが病気やけがをしている状態である。
【００７７】
続いて、チルト角およびシートポジションの目標範囲を決定する（Ｓ３４）。チルト角およびシートポジションの目標範囲は、環境情報検出部１において検出した環境情報および車両情報検出部２で検出した車両情報を用いるとともに、ドライバの危険状態に応じて算出する。具体的には、環境情報および車両情報に基づいてチルト角およびシートポジションを算出した後、病気またはけがをしているドライバにかかる体勢的負担を軽減する位置である負担軽減位置にチルト角およびシートポジションを修正することができる。
【００７８】
このように、本実施形態に係る緊急退避支援装置Ｍにおいては、上記第１の実施形態と同様に、他車両との衝突可能性が高いと判断する前にステアリングや座席シートの位置を調整することができるので、ドライバの安全性を高めるための調整時間を十分に確保し、ステアリングや座席シートの位置が急に変化することによってドライバに与える違和感を小さくしながら、ドライバの安全性を高めることができる。
【００７９】
さらに、本実施形態に係る緊急退避支援装置Ｍにおいては、ドライバが危険状態にある場合には、ドライバの体勢的負担が軽減する位置にチルト角およびシートポジションを修正する。このため、ドライバの体調がすぐれない場合には、ドライバの体調の悪化を防止することができる。
【００８０】
〔第３の実施形態〕
次に、本発明の第３の実施形態について説明する。本実施形態は、上記第１の実施形態と比較して、チルト角やシートポジションの調整を行うか否かの判定を行う点等において主に異なっている。以下、第１の実施形態との相違点を中心に説明する。図７は、本実施形態に係る緊急退避支援装置の処理の手順を示すフローチャートである。
【００８１】
図７に示すように、本実施形態に係る緊急退避支援装置Ｍにおいては、上記第１の実施形態と同様、まず、ドライバが運転不適状態となっているか否かを判断する（Ｓ４１）。その結果、ドライバが運転不適状態でないと判断した場合には、ドライバは正常な状態であるので、そのまま緊急退避支援を終了する。一方、ドライバが運転不適状態であると判断した場合には、主権委譲処理を行う（Ｓ４２）。主権委譲処理を行うことにより、車両の運転の主権をドライバから緊急退避支援装置Ｍに委譲する。
【００８２】
主権委譲処理が済んだ後は、車両を緊急停止させる処理を行うが、この段階で、車両が走行中であるか否かを判断する（Ｓ４３）。その結果、車両が走行中でない場合は、車両が停止していることとなるので、車両停止後の制御に移行する（Ｓ５１）。一方、車両が走行中である場合には、ドアロック等の処理を行う（Ｓ４４）。ここまでは、上記第１の実施形態とほぼ同様の処理が行われる。
【００８３】
続いて、チルト角およびシートポジションの調整を実施するか否かの判定を行う（Ｓ４５）。この判定は、図８に示す処理によって行われる。この判定では、まず、ドライバが緊急退避支援を行うことについて確認しているか否かを判断する（Ｓ６１）。ドライバが確認しているか否かについては、ドライバがシステム起動／解除スイッチ３３を操作していれば、ドライバが緊急退避支援を行うことを確認していると判断する。
【００８４】
その結果、ドライバが緊急退避支援を行うことを確認していると判断した場合には、チルト角およびシートポジションの調整を実施すると判定して（Ｓ６２）、調整実施判定処理を終了する。一方、ドライバが緊急退避支援を行うことを確認していないと判断した場合には、車両が他車両や歩行者などの障害物と衝突する衝突可能性である衝突危険度を算出する（Ｓ６３）。
【００８５】
衝突危険度の算出の例を図９に示す。図９は、交差点における歩行者等との衝突危険度を算出する手順を示すフローチャートである。ここでは、図１０に示すように、交差点Ｃにおける自車両Ｍ１と歩行者Ｈとの衝突危険度の算出を行う。衝突危険度の算出を行う際には、まず、環境情報検出部１で検出される環境情報に基づいて、自車両Ｍ１が交差点Ｃの手前に位置しているか否かを判断する（Ｓ７１）。ここでの交差点Ｃの手前とは、たとえば交差点までの距離が３０ｍ以内となっている位置とすることができる。
【００８６】
ここで、自車両Ｍ１が交差点Ｃの手前に位置していないと判断した場合には、交差点Ｃにおける衝突が生じることはないと判断できるので、衝突危険度を０として（Ｓ７４）、衝突危険度算出処理を終了する。一方、自車両Ｍ１が交差点Ｃの手前に位置していると判断した場合には、自車両Ｍ１が交差点Ｃの手前で停止可能か否かを判断する（Ｓ７２）。
【００８７】
このとき、自車両Ｍ１が交差点Ｃの手前で停止することができれば、交差点Ｃにおける衝突が生じることはないと判断することができる。したがって、自車両Ｍ１が交差点Ｃの手前で停止可能であると判断した場合には、衝突危険度を０として（Ｓ７４）、衝突危険度算出処理を終了する。
【００８８】
また、自車両Ｍ１が交差点Ｃの手前で停止することができないと判断した場合に、歩行者Ｈとの衝突危険度を算出する（Ｓ７３）。衝突危険度を算出するにあたっては、自車両Ｍ１および歩行者Ｈが交差地点に到達するまでの時間を予測し、その予測時間を比較することで衝突危険度を算出する。
【００８９】
ここでは、自車両Ｍ１が交差点Ｃに到達するまでの時間であるＴＴＣ（Time To Collision、第１時間）を算出する。ＴＴＣは、自車両Ｍ１が現在の状態で進行方向に走行した場合に何秒後に歩行者Ｈに衝突するかを示す値である。また、環境情報に含まれる周辺情報に基づいて、歩行者Ｈの速度ベクトルなどを求め、歩行者Ｈが交差点Ｃに到達するまでの時間である（Time To Vehicle、第２時間）を算出する。ＴＴＶは、歩行者Ｈが現在の状態で自車両Ｍ１の進行方向に交差する方向（自車両Ｍ１の横方向）に移動した場合に何秒後に自車両に衝突するかを示す値である。
【００９０】
ＴＴＣおよびＴＴＶは、たとえば下記（１）式および（２）式を用いて算出することができる。
ＴＴＣ＝ｘ／（Ｖ−ｖｘ）  …（１）
ＴＴＶ＝ｙ／ｖｙ  …（２）
ここで、Ｖ：自車両の速度
ｘ，ｙ：歩行者等の相対位置
ｖｘ，ｖｙ：歩行者等の速度
【００９１】
また、判定処理ＥＣＵ４には、図１１に示す判定マップを記憶している。判定処理ＥＣＵ４では、算出したＴＴＣおよびＴＴＶを図１１に示す判定マップに参照して、自車両Ｍ１と歩行者Ｈとの衝突危険度を算出する。図１１に示す判定マップは、破線で示す第１基準マップと実線で示す第２基準マップとを備えている。ここでの判定では、破線で示す第１基準マップが用いられている。
【００９２】
また、衝突危険度を算出するにあたり、交差点ではなく、自車両が車線を逸脱しそうな場合の衝突危険度を算出することがある、この場合、操舵によって自車両を車線の内側に戻すことが考えられる。このような状況で歩行者が現れた場合には、進行方向の走行速度だけでは到達時間にズレが発生してしまう。そこで、車線上の走行速度だけではく、車線内での移動経路も考慮に入れることができる。この場合、たとえば図１１に実線で示す第２基準マップを用いて衝突危険度を算出することもできる。
【００９３】
図８に示すフローに戻り、衝突危険度を算出したら、ドライバ状態を取得する（Ｓ６４）。ドライバ状態の取得は、図６に示すステップＳ３３と同様にして行われる。続いて、車両における衝突危険度が高いか否かを判断する（Ｓ６５）。衝突危険度が高いか否かの判断は、所定の危険度しきい値を用いて行われ、危険度が危険度しきい値を超えるときに衝突危険度が高いと判断する。その結果、衝突危険度が高いと判断された場合には、チルト角およびシートポジションの調整を実施すると判定して（Ｓ６２）、調整実施判定処理を終了する。
【００９４】
一方、衝突危険度が高くないと判断された場合には、ドライバ状態が危険であるか否かを判断する（Ｓ６６）。判定処理ＥＣＵ４では、ドライバが病気であったりけがをしていたりする場合などの体調不良の状態のときに、ドライバ状態が危険であると判断する。その結果、ドライバ状態が危険であると判断した場合には、チルト角およびシートポジションの調整を中止すると判定して（Ｓ６７）、調整実施判定処理を終了する。また、ドライバ状態が危険でないと判断した場合には、チルト角およびシートポジションの調整を実施すると判定して（Ｓ６６）、調整実施判定処理を終了する。
【００９５】
ドライバが病気やけがなどの体調不良の状態にある場合に、ドライバが無理な体勢で座り続けると、体調をさらに悪化させてしまうことが考えられる。したがって、ドライバが体調不良の危険状態にあるときには、シートポジションの調整を中止することにより、ドライバの体調悪化を防止することができる。
【００９６】
こうして、チルト角およびシートポジションの調整実施判定を行ったら、図７に示すフローに戻り、チルト角およびシートポジションの調整実施を行うか否かを判断する（Ｓ４６）。ここで、チルト角およびシートポジションの調整実施を行わないと判断した場合には、緊急退避支援処理を終了する。
【００９７】
一方、チルト角およびシートポジションの調整実施を行うと判断した場合には、衝突危険度が高いか否かを判断する（Ｓ４７）。この判断は、図８のステップＳ６５と同様にして行われる。その結果、衝突危険度が高いと判断した場合には、衝突に対するドライバの保護を優先させることが好適となる。
【００９８】
したがって、この場合には、チルト角およびシートポジションの位置を通常の位置に調整する（Ｓ５０）。通常の位置への調整としては、たとえば第１の実施形態に係るステップＳ５〜Ｓ１１の処理を行うことができる。一方、衝突危険度が高くないと判断した場合には、ドライバ状態が危険であるか否かを判断する（Ｓ４８）。ドライバ状態が危険であるか否かの判断は、図８のステップＳ６６と同様にして行われる。
【００９９】
その結果、ドライバ状態が危険であると判断した場合は、チルト角およびシートポジションの位置を、ドライバの負担が小さくなる負担軽減位置に調整する（Ｓ４９）。一方、ドライバ状態が危険でないと判断した場合には、チルト角およびシートポジションの位置を通常の位置に調整する（Ｓ５０）。こうして、緊急退避支援装置Ｍの処理を終了する。
【０１００】
このように、本実施形態に係る緊急退避支援装置Ｍにおいては、上記第１の実施形態と同様に、他車両との衝突可能性が高いと判断する前にチルト角や座席シートの位置を調整することができるので、ドライバの安全性を高めるための調整時間を十分に確保し、ステアリングや座席シートの位置が急に変化することによってドライバに与える違和感を小さくしながら、ドライバの安全性を高めることができる。
【０１０１】
また、ドライバが体調不良などの危険状態にある場合、チルト角やシートポジションの位置調整を行うと、位置調整による位置の変更でドライバの危険状態に悪影響を与えるおそれがある。この点、本実施形態に係る緊急退避支援装置Ｍにおいては、衝突危険度が高い場合には、ドライバ危険度が高い場合でもチルト角やシートポジションの調整を実施する。その一方で、衝突危険度が低くドライバ危険度が高い場合に、チルト角やシートポジションの調整を中止するようにしている。このため、衝突危険性が高い場合には、エアバッグの性能を十分に発揮できるチルト角やシートポジションとなる調整を行うことができる一方、衝突の可能性が低い場合に、ドライバの体調の悪化を好適に防止することができる。
【０１０２】
以上、本発明の好適な実施形態について説明したが、本発明は上記実施形態に限定されるものではない。たとえば、上記実施形態では、ステアリングの調整としてチルト角の調整を行っているが、ステアリングがテレスコピックステアリングである場合におけるステアリングの前後位置の調整を行うこともできる。
【０１０３】
また、上記第３の実施形態では、ドライバが緊急退避支援を行うことについて確認しているか否かを判断しているが、この判断工程を省略し、衝突危険度算出工程から始めることもできる。さらに、上記第３の実施形態では、衝突危険度が低い場合にドライバ危険度が高いか否か判断を行っているが、衝突危険度の判断を行うことなく、そのままドライバ危険度が高いか否かの判断を行うこともできる。
【符号の説明】
【０１０４】
１…環境情報検出部、２…車両情報検出部、３…ドライバ状態認識装置、４…判定処理ＥＣＵ４、５…運転支援ＨＭＩ、６…各種運転支援システム、７…各種走行制御装置、８…アクチュエータ類、Ｃ…交差点、Ｈ…歩行者、Ｍ…緊急退避支援装置。
【図１】
2014026332.tif 000003
【図２】
2014026332.tif 000004
【図３】
2014026332.tif 000005
【図４】
2014026332.tif 000006
【図５】
2014026332.tif 000007
【図６】
2014026332.tif 000008
【図７】
2014026332.tif 000009
【図８】
2014026332.tif 000010
【図９】
2014026332.tif 000011
【図１０】
2014026332.tif 000012
【図１１】
2014026332.tif 000013